(57)【要約】      （修正有）【課題】口紐引出部分を紐止めに簡単に止め外しできるとともに、紐止めに止めた口紐引出部分が緩みにくくした土嚢袋スタンドを提供する。【解決手段】土嚢袋スタンド１０は上枠１２と脚部１４を具える。脚部１４は支柱１８に紐止め２４を具える。紐止め２４は２本の金属棒を互いに当接または極近接してほぼ平行に配置した構造を有する。空の土嚢袋を土嚢袋スタンド１０の内部空間４０に収容し、投入口形成部分３６ａを外側に折り返して上枠１２に掛け、口紐引出部分４４ａを引いて投入口形成部分３６ａを上枠１２に固定する。口紐引出部分４４ａを金属棒に巻きつけ、さらに金属棒の端部の導入口から金属棒の間に割り込ませて止める。【選択図】図４
0003180033.tif 000002
【実用新案登録請求の範囲】
【請求項１】
土嚢袋の投入口を開いた状態で該土嚢袋の投入口を形成する投入口形成部分を着脱自在に掛けて支持する上枠と、
前記上枠を地面等の支持面に支持する脚部と、
前記土嚢袋の口紐の、該土嚢袋の外に引き出された口紐引出部分を掛けて止める紐止めとを有する土嚢袋スタンドであって、
前記紐止めは、互いに当接または極近接してほぼ平行に配置された複数個の突出部を具え、
該複数個の突出部の一端は該土嚢袋スタンドのいずれかの箇所に固定され、他端は自由端とされ、該複数個の突出部の間は該自由端で開放され、
該紐止めは前記口紐引出部分を前記複数個の突出部に巻きつけさらに前記自由端から該複数個の突出部の間に割り込ませて挟み込んで止めることができる構造を有する土嚢袋スタンド。
【請求項２】
前記紐止めは前記複数個の突出部の自由端に該複数個の突出部の間を拡開した導入口を有する請求項１に記載の土嚢袋スタンド。
【請求項３】
前記複数個の突出部は複数本の棒で構成される請求項１または２に記載の土嚢袋スタンド。
【請求項４】
前記脚部が前記上枠の直下位置で内方向にくびれたくびれ部を有し、前記紐止めが該くびれ部から外方向に突出した状態で該くびれ部に固定されている請求項１から３のいずれか１つに記載の土嚢袋スタンド。
【請求項５】
前記脚部が地面等の支持面に着地する下枠と、該下枠と前記上枠とを周方向の複数箇所で連結する複数本の支柱とを具え、
前記くびれ部が前記支柱に形成され、
前記紐止めが前記支柱のくびれ部に固定されている請求項１から４のいずれか１つ記載の土嚢袋スタンド。
【考案の詳細な説明】
【技術分野】
【０００１】
この考案は土嚢袋スタンドに関し、土嚢袋に土砂を投入する際に、該土嚢袋の口紐の、該土嚢袋の外に引き出された部分（口紐引出部分）を掛けて止めるための紐止めを具えたものであり、該口紐引出部分を紐止めに簡単に止め外しできるとともに、紐止めに止めた口紐引出部分が緩みにくくしたものである。
【背景技術】
【０００２】
土嚢袋スタンドは土嚢袋に土砂を投入する際に土嚢袋を投入口が開いた状態に吊って支持することにより、土嚢袋に土砂を投入しやすくするものである。従来の土嚢袋スタンドとして、土嚢袋の投入口を開いた状態で該投入口を形成する部分（投入口形成部分）を外側に折り返して上枠に被せ、次いで口紐引出部分を引いて該投入口形成部分を該上枠に固定し、さらに口紐引出部分を紐止め（紐掛け）に掛けて止めるようにしたものが下記特許文献１〜４に記載されている。
【先行技術文献】
【特許文献】
【０００３】
【特許文献１】実開昭６４−６２１０号公報
【特許文献２】実開平０６−７６０１０号公報
【特許文献３】実用新案登録第３１２６７４１号公報
【特許文献４】実用新案登録第３１４０９９１号公報
【考案の概要】
【考案が解決しようとする課題】
【０００４】
特許文献１〜４に記載の紐止めによれば、土嚢袋に土砂を投入していくに従い土嚢の重量により口紐引出部分が引っ張られて紐止めからずれて緩み、土嚢袋の投入口形成部分が土嚢袋スタンドの上枠から外れて、土嚢袋が土嚢袋スタンドから落下する恐れがあった。
【０００５】
この考案は上述した問題を解決するもので、土嚢袋の口紐引出部分を紐止めに簡単に止め外しできるとともに、紐止めに止めた口紐引出部分が緩みにくくした土嚢袋スタンドを提供しようとするものである。
【課題を解決するための手段】
【０００６】
この考案の土嚢袋スタンドは、土嚢袋の投入口を開いた状態で該土嚢袋の投入口を形成する投入口形成部分を着脱自在に掛けて支持する上枠と、前記上枠を地面等の支持面に支持する脚部と、前記土嚢袋の口紐の、該土嚢袋の外に引き出された口紐引出部分を掛けて止める紐止めとを有する土嚢袋スタンドであって、前記紐止めは、互いに当接または極近接してほぼ平行に配置された複数個の突出部を具え、該複数個の突出部の一端は該土嚢袋スタンドのいずれかの箇所に固定され、他端は自由端とされ、該複数個の突出部の間は該自由端で開放され、該紐止めは前記口紐引出部分を前記複数個の突出部に巻きつけさらに前記自由端から該複数個の突出部の間に割り込ませて挟み込んで止めることができる構造を有するものである。この考案によれば、口紐引出部分を紐止めの複数個の突出部に巻きつけさらに突出部の自由端から該複数個の突出部の間に割り込ませて挟み込むことにより、該口紐引出部分を紐止めに簡単に止め外しすることができる。また口紐引出部分を紐止めに止めた状態で土嚢袋に土砂を投入していくと、土嚢の重量により口紐が引っ張られ、該口紐の引っ張り力により口紐引出部分を巻きつけた複数個の突出部の間が狭まって、該複数個の突出部の間に挟み込まれた口紐引出部分が該複数個の突出部で締め付けられる。その結果、紐止めに止めた口紐引出部分が緩むのが防止され、土嚢袋の投入口形成部分が土嚢袋スタンドの上枠から外れて土嚢袋が土嚢袋スタンドから落下するのが防止される。
【０００７】
この考案において前記紐止めは、前記複数個の突出部の自由端に該複数個の突出部の間を拡開した導入口を有することができる。これによれば口紐引出部分を導入口から複数個の突出部の間に簡単に割り込ませることができる。
【０００８】
この考案において前記複数個の突出部は例えば複数本の棒で構成することができる。これによれば複数個の突出部を容易に構成することができる。
【０００９】
この考案は 、前記脚部が前記上枠の直下位置で内方向にくびれたくびれ部を有し、前記紐止めが該くびれ部から外方向に突出した状態で該くびれ部に固定されているものとすることができる。これによれば口紐をくびれ部に位置決めした状態で、口紐引出部分を紐止めに止めることができる。これによれば、土嚢袋の投入口を開いた状態で投入口形成部分を上枠に掛け、口紐を脚部のくびれ部で締めて土嚢袋の投入口形成部分を上枠に支持し、口紐引出部分をその位置で紐止めに止めることができる。
【００１０】
この考案は 、前記脚部が地面等の支持面に着地する下枠と、該下枠と前記上枠とを周方向の複数箇所で連結する複数本の支柱とを具え、前記くびれ部が前記支柱に形成され、前記紐止めが前記支柱のくびれ部に固定されているものとすることができる。これによれば土嚢袋スタンドを、上枠、下枠、支柱、紐止めを有する構造として簡単に構成することができる。また上枠と下枠とを連結する支柱に紐止めを安定に支持することができる。
【図面の簡単な説明】
【００１１】
【図１】この考案の土嚢袋スタンドの実施の形態を示す正面図である。
【図２】図１の土嚢袋スタンドの平面図である。
【図３】図１、図２の土嚢袋スタンドにおける紐止めの拡大図であり、（ａ）は平面図、（ｂ）は（ａ）のＢ矢視図である。
【図４】図１、図２の土嚢袋スタンドの使用状態を示す正面図である（土嚢袋は紙面に平行な面で縦に半割りした状態で示す）。
【図５】図４の使用状態における紐止め部分の拡大図であり、（ａ）は平面図、（ｂ）は（ａ）のＣ矢視図である。
【考案を実施するための形態】
【００１２】
この考案の実施の形態を説明する。図１、図２はこの考案の土嚢袋スタンドの実施の形態を示す。この土嚢袋スタンド１０はステンレス等の金属の丸棒をそれぞれの形状に曲げ加工して形成した部材を相互に溶接して一体に連結して作られている。土嚢袋スタンド１０は円形の上枠１２と、上枠１２を地面等の支持面に支持する脚部１４を具える。上枠１２は土嚢袋３６（図４）の投入口形成部分３６ａを投入口４２を開いた状態で着脱自在に掛けて支持するもので、使用する土嚢袋３６の投入口４２の開口径と同等の外径を有する。脚部１４は使用する土嚢袋３６の縦寸法と同等の高さを有する。脚部１４は地面等の支持面３４に着地する円形の下枠１６と、下枠１６と上枠１２とを周方向の４箇所で等間隔に連結する４本の支柱１８を具える。下枠１６は上枠１２よりも大径に構成されている。上枠１２と下枠１６は相互に平行にかつ同心に配置されている。上枠１２には、４本の支柱１８の中間位置に４本の補助棒２０が連結されている。補助棒２０は支柱１８の上部と同一形状を有する。補助棒２０は支柱１８と協働して土嚢袋の投入口を円形に近い形に拡げる働きをする。支柱１８と補助棒２０には上枠１２の直下位置で内方向にくびれたくびれ部２２が形成されている。くびれ部２２には土嚢袋３６の投入口形成部分３６ａの口紐４４（図４）が巻き回される。図１、図２の二点鎖線Ａは土嚢袋３６の口紐４４が巻き回されて位置決めされる位置を示す。１本の支柱１８のくびれ部２２には紐止め２４が外方向に突出して取り付けられている。
【００１３】
紐止め２４の構造を図３に拡大して示す。紐止め２４は水平に並べられた２本の金属棒２６，２８で構成されている。金属棒２６，２８は一端部が支柱１８に溶接２９（ハッチングで示した箇所）で固定され、互いに当接または極近接してほぼ平行に配置されている。金属棒２６，２８の他端は自由端とされている。金属棒２６，２８の間３０は自由端で開放されている。金属棒２６，２８の自由端は、互いに対向する面の角部２６ａ，２８ａが斜めに切り欠かれて、口紐引出部分４４ａ（図４、図５）を金属棒２６，２８の間３０に導入し易くする導入口３２を構成している。金属棒２６，２８は自由端に拡開する力が加えられると僅かに撓んで、金属棒２６，２８の間３０を僅かに（口紐引出部分４４ａが割り込める広さに）開くことができる。
【００１４】
以上の構成を有する土嚢袋スタンド１０の使用方法を説明する。図４は土嚢袋スタンド１０の使用状態を示す。使用する土嚢袋３６は市販されているポリエチレン製等の通常の土嚢袋であり、投入口４２に沿って口紐４４が通されている。土嚢袋スタンド１０は次の手順で使用される。
（１）ほぼ水平な地面等の支持面３４に土嚢袋スタンド１０を置く。
（２）空の土嚢袋３６を上枠１２の開口３８にその上方から進入させて、上枠１２、下枠１６、支柱１８、補助棒２０で包囲された土嚢袋スタンド１０の内部空間４０に収容する。
（３）土嚢袋３６の投入口４２を開いて投入口形成部分３６ａを外側に折り返して上枠１２に掛ける。
（４）土嚢袋３６の外に引き出されている口紐引出部分４４ａを手で掴んで外方向に引くと、口紐４４はくびれ部２２に沿って張られた状態に位置決めされ、投入口形成部分３６ａは上枠１２に固定される。
（５）口紐引出部分４４ａを強く引いて口紐引出部分４４ａを紐止め２４に２〜４回程度強く巻きつけた後、口紐引出部分４４ａを紐止め２４の導入口３２に上側から掛けて下方向に引きながら内方向に引っ張って金属棒２６，２８の間３０に割り込ませる。これにより金属棒２６，２８の間３０が押し広げられて口紐引出部分４４ａは金属棒２６，２８の間３０に割り込み進入する。このときの紐止め２４の状態を図５に示す。金属棒２６，２８の間３０に割り込み進入した口紐引出部分４４ａは金属棒２６，２８が閉じようとする力で強く挟まれ締め付けられて止められる。このようにして口紐引出部分４４ａを紐止め２４に簡単に止めることができる。
（６）これで準備が終了し、投入口４２から土砂４６を投入する。土砂４６を投入していくに従い土嚢３６’の重量により口紐４４が引っ張られ、口紐４４の引っ張り力により口紐引出部分４４ａを巻きつけた金属棒２６，２８の間３０が狭まって、金属棒２６，２８の間３０に挟み込まれた口紐引出部分４４ａが金属棒２６，２８でさらに強く締め付けられる。その結果、紐止め２４に止められた口紐引出部分４４ａが紐止め２４からずれて緩むのが防止され、土嚢袋３６の投入口形成部分３６ａが土嚢袋スタンド１０の上枠１２から外れて土嚢袋３６が土嚢袋スタンド１０から落下するのが防止される。
（７）土嚢袋３６に土砂４６が十分に投入されたら土砂４６の投入を終了し、土嚢袋３６を土嚢袋スタンド１０から外しにかかる。すなわち、紐止め２４の下方に垂れ下がっている口紐引出部分４４ａを手で掴んで外方向に引っ張りながら上方向に強く引き上げる。これにより口紐引出部分４４ａは金属棒２６，２８の間から引き抜かれる。続いて口紐引出部分４４ａを紐止め２４の周りに先程と逆方向に回して紐止め２４からほどく。口紐引出部分４４ａが紐止め２４からほどけると、土嚢３６’の自重により土嚢袋３６の投入口形成部分３６ａが上枠１２から外れ、土嚢３６’は地面等の支持面３４に着地支持された状態となる。このようにして口紐引出部分４４ａを紐止め２４から簡単に外すことができる。この状態で口紐引出部分４４ａを引いて投入口４２を閉じ、さらに口紐引出部分４４ａをすぼめられた投入口形成部分３６ａの周りに巻き回して、最後に縛る。土嚢袋スタンド１０を引き上げて外せば、完成した土嚢３６’が取り出される。
【００１５】
前記実施の形態では突出部を金属棒２６，２８で構成したが、突出部の形状は棒状に限らず、様々な形状に形成することができる。また前記実施の形態では突出部の数を２個としたがこれに限らず３個以上とすることもできる。また前記実施の形態では土嚢袋スタンド１０を、丸棒で構成した上枠１２、下枠１６、支柱１８、補助棒２０を組んで構成したがこれに限るものではない。例えば全体を円筒形で構成し、該円筒の上端部で上枠を構成し、該円筒の胴部で脚部を構成し、該胴部の上部に紐止めを構成する突出部を突出形成して土嚢袋スタンドを構成することもできる。
【符号の説明】
【００１６】
１０…土嚢袋スタンド、１２…上枠、１４…脚部、１６…下枠、１８…支柱、２０…補助棒、２２…くびれ部、２４…紐止め、２６，２８…金属棒（複数個の突出部、複数本の棒）、３０…金属棒の間（複数個の突出部の間）、３２…導入口、３４…地面等の支持面、３６…土嚢袋、３６ａ…土嚢袋の投入口形成部分、３６’…土嚢、３８…上枠の開口、４０…土嚢袋スタンドの内部空間、４２…土嚢袋の投入口、４４…口紐、４４ａ…口紐引出部分、４６…土砂
【図１】
0003180033.tif 000003
【図２】
0003180033.tif 000004
【図３】
0003180033.tif 000005
【図４】
0003180033.tif 000006
【図５】
0003180033.tif 000007